(57)【要約】【課題】帳票に記載された文字を示す文字データに含まれる類似文字の誤認識の訂正抜けを防止する為の手段を提供する。【解決手段】あらかじめ、形状が似ている文字を類似文字として定義しておき、帳票の文字認識結果に対して、その帳票の文字データに含まれる文字のうち前記類似文字の数の情報に基づき、前記帳票の担当オペレータを定めて前記帳票の文字データの修正もしくは確認する作業を行わせるようにした。【選択図】        図１
2014063507.tif 000002
【特許請求の範囲】
【請求項１】
帳票のイメージデータとそのイメージデータを文字認識して取得した文字データとを比較して、オペレータが文字データの修正もしくは確認する作業を行う帳票処理システムであって、
あらかじめ、形状が似ている文字を類似文字として定義しておき、帳票の文字認識結果に対して、その帳票の文字データに含まれる文字のうち前記類似文字の数の情報に基づき、前記帳票の担当オペレータを定めて前記帳票の文字データの修正もしくは確認する作業を行わせることを特徴とする帳票処理システム。
【請求項２】
前記類似文字の数の情報は、帳票の文字データに含まれる文字のうち前記類似文字が多いか少ないかを示す情報であることを特徴とした請求項１の帳票処理システム。
【請求項３】
あらかじめ、前記オペレータの作業の習熟度レベルを、複数の段階のランクに分類し、習熟度レベルが高いオペレータは、前記類似文字が多い帳票を担当し、習熟度レベルが低いオペレータは、前記類似文字が少ない帳票を担当することを特徴とした請求項２の帳票処理システム。
【請求項４】
前記類似文字が多いか少ないかの判定を、前記帳票の文字データに含まれる文字のうち前記類似文字の割合に応じて行うことを特徴とした請求項３の帳票処理システム。
【請求項５】
前記文字データは、カナ、アルファベット、数字を含むことを特徴とした請求項１乃至請求項４のいずれかの帳票処理システム。
【請求項６】
帳票のイメージデータとそのイメージデータを文字認識して取得した文字データとを比較して、オペレータに文字データの修正もしくは確認する作業を行わせるサーバであって、
あらかじめ、形状が似ている文字を類似文字として定義しておき、帳票の文字認識結果に対して、その帳票の文字データに含まれる文字のうち前記類似文字の数の情報に基づき、前記帳票の担当オペレータを定めて前記帳票の文字データの修正もしくは確認する作業を行わせることを特徴とするサーバ。
【請求項７】
帳票のイメージデータとそのイメージデータを文字認識して取得した文字データとを比較して、オペレータに文字データの修正もしくは確認する作業を行わせるプログラムであって、
あらかじめ、形状が似ている文字を類似文字として定義しておき、帳票の文字認識結果に対して、その帳票の文字データに含まれる文字のうち前記類似文字の数の情報に基づき、前記帳票の担当オペレータを定めて前記帳票の文字データの修正もしくは確認する作業を行わせることを特徴とするプログラム。
【請求項８】
帳票のイメージデータとそのイメージデータを文字認識して取得した文字データとを比較して、オペレータに文字データの修正もしくは確認する作業を行わせる帳票処理方法であって、
あらかじめ、形状が似ている文字を類似文字として定義しておき、帳票の文字認識結果に対して、その帳票の文字データに含まれる文字のうち前記類似文字の数の情報に基づき、前記帳票の担当オペレータを定めて前記帳票の文字データの修正もしくは確認する作業を行わせることを特徴とする帳票処理方法。
【発明の詳細な説明】
【技術分野】
【０００１】
本発明は、金融機関に設置され、口座開設依頼書などの帳票の処理を行うオペレータの端末に帳票のイメージデータや文字データを送信する帳票処理システム、サーバ、プログラムおよび帳票処理方法に関する。
【背景技術】
【０００２】
従来の帳票処理システムは、顧客の帳票のスキャン作業により得られたイメージデータやＯＣＲ（Ｏｐｔｉｃａｌ Ｃｈａｒａｃｔｅｒ Ｒｅｃｏｇｎｉｔｉｏｎ）処理によって得られる文字データ等の帳票のデータをサーバ装置が管理し、サーバ装置からオペレータ端末に帳票のデータを送信することで、オペレータに対して帳票の内容の確認や、内容訂正等の処理を行わせるようにしている。
【０００３】
このとき印鑑照合や入力内容の不備を修正する等の高度な確認を要する作業の対象となる帳票のデータをスキル（習熟度）レベルの高いオペレータが操作するオペレータ端末に送信している（例えば、特許文献１参照）。
【先行技術文献】
【特許文献】
【０００４】
【特許文献１】特開２００６−１４６８３０号公報（段落「００３３」−段落「００３４」、図１）
【発明の開示】
【発明が解決しようとする課題】
【０００５】
しかしながら、上述した従来の技術においては、帳票に記載された文字そのものは考慮されていない。すなわち、ＯＣＲ処理により得られる文字データには、もとのイメージデータで記載された文字から誤認識されてしまった文字を含むことが有る。そして誤認識され易い類似文字を多く含む帳票は類似文字が少ない帳票に比べ、確認作業においてオペレータの注意がより重要となり、処理の難易度が高くなる。ところが、従来の方法では類似文字の多少の程度は作業の難易度と無関係とし考慮されていなかったため、習熟度レベルの低いオペレータにも習熟度レベルが高いオペレータにも無作為に類似文字の多い（難易度の高い）帳票、類似文字の少ない（難易度の低い）帳票のデータを送信して確認作業をさせていた。この場合、習熟度レベルの高いオペレータが、前記難易度の高い帳票のデータを担当すれば問題は少ないが、習熟度レベルの低いオペレータが、前記難易度の高い帳票を担当した場合、不慣れのため、誤認識されてしまった類似文字の修正をし損なうという人為的ミスの発生の可能性が高くなるという問題がある。
【０００６】
本発明は、上記の問題点を解決するための手段を提供することを目的とする。
【課題を解決するための手段】
【０００７】
本発明は、上記課題を解決するために、帳票のイメージデータとそのイメージデータを文字認識して取得した文字データとを比較して、オペレータが文字データの修正もしくは確認する作業を行う帳票処理システムであって、あらかじめ、形状が似ている文字を類似文字として定義しておき、帳票の文字認識結果に対して、その帳票の文字データに含まれる文字のうち前記類似文字の数の情報に基づき、前記帳票の担当オペレータを定めて前記帳票の文字データの修正もしくは確認する作業を行わせることを特徴とする。
【発明の効果】
【０００８】
これにより、本発明は、類似文字の数の情報に応じてオペレータ選定を行い、帳票の処理をさせることができるので、類似文字を誤って処理してしまうという人為的ミスの発生を低減させることができるという効果が得られる。
【図面の簡単な説明】
【０００９】
【図１】実施例１の帳票処理システムの構成を示すブロック図
【図２】類似文字の一例を示す表
【図３】帳票データテーブルの構成を示す説明図
【図４】オペレータテーブルの構成を示す説明図
【図５】帳票のスキャン処理を示すフローチャート
【図６】帳票内容確認処理の手順を示すフローチャート
【図７】帳票データテーブルから帳票データを抽出するまでの流れを示す説明図
【発明を実施するための最良の形態】
【００１０】
以下に、図面を参照して本発明による帳票処理システム、サーバ、プログラムおよび帳票処理方法の実施例について説明する。
【実施例１】
【００１１】
図１は第１の実施例における帳票処理システムの構成を示すブロック図である。
【００１２】
１は帳票読取装置であり、金融機関等の営業店もしくは事務センタ等に設置されるものであり、通信回線９を介して他の装置と相互に通信可能に接続されている。
【００１３】
２は表示部であり、ＣＲＴ、液晶ディスプレイ等の表示手段である。
【００１４】
３は入力部であり、キーボード、マウス等の入力手段である。
【００１５】
５は制御部であり、ＣＰＵ等の演算および制御手段等で構成されたものであり、記憶部６に格納された制御プログラムに基づいて帳票読取装置１全体の動作を制御する。
【００１６】
また、制御部５は後述するスキャナ装置７に対して帳票のイメージデータの読取りを指示すると共にそのスキャナ装置７が読取ったイメージデータを取得する機能を有しており、その機能は記憶部６に格納したスキャナ装置７に動作指示を行うためのプログラムによって実現される。
【００１７】
また、制御部５は帳票のイメージデータを識別するシーケンス番号を採番する採番手段、帳票のイメージデータから帳票に記載された文字をＯＣＲ認識（光学式文字認識）により認識し、その認識した内容をもとに帳票上の記載文字を示す文字データに変換する文字認識手段、文字データに含まれる文字の内、別の文字と誤認識される可能性の高い文字（類似文字という）の割合（類似文字率という）を算出する類似文字率算出手段を備えている。
【００１８】
なお、類似文字率は、類似文字率「％」＝類似文字の文字数÷全文字数×１００による式で算出される。
【００１９】
６は記憶部であり、帳票読取装置１全体の動作を制御する制御プログラムやスキャナ装置７に動作指示を行うためのプログラム等を格納する他、スキャナ装置７で読取った帳票の枚数、読取ったそれぞれの帳票のイメージデータ等を記憶する。
【００２０】
また記憶部６は、誤認識される可能性の高い類似文字をテーブルとして、例えば図２のように格納している。
【００２１】
ここで、類似文字のテーブルに含まれる文字の一例を図２の類似文字の一例を示す表を用いて説明する。
【００２２】
図２に示すように誤認識の可能性が高い組合せの文字例として、数字同士では「１」と「７」、「０」と「６」と「９」等、アルファベット同士では「Ｅ」と「Ｆ」、「Ｏ」と「Ｑ」、「ａ」と「ｄ」、「ｃ」と「ｅ」等、記号同士では「“」と「‘」等、ひらがな同士では「き」と「さ」、「め」と「ぬ」等、カタカナ同士では「エ」と「コ」、「ク」と「リ」等、漢字同士では「因」と「困」、「侍」と「待」等が挙げられる。
【００２３】
また、数字とアルファベットの組合せでは「１」と「ｉ」、「０」と「Ｑ」、「８」と「Ｂ」等、数字と記号の組合せでは「１」と「！」等、アルファベットと記号の組合せでは「Ｉ」と「！」、「Ｏ」と「。」等、ひらがなとカタカナの組合せでは「い」と「ハ」、「り」と「リ」等、カタカナと漢字の組合せでは「ロ」と「口」等が挙げられる。
【００２４】
７はスキャナ装置であり、ＣＣＤ（Ｃｈａｒｇｅ Ｃｏｕｐｌｅｄ Ｄｅｖｉｃｅ）カメラ等で構成され、帳票のイメージデータを読取る機能を有する。
【００２５】
このスキャナ装置７は図示しない帳票吸入部に載置された帳票を図示しない帳票分離搬送手段により１枚ずつ分離して搬送し、その帳票のイメージデータを読取ることができるようになっている。すなわち、帳票吸入部に載置された複数の帳票を連続して読取ることができるようになっている。
【００２６】
尚、スキャナはＯＣＲ一体型のものでもよい。
【００２７】
スキャナ装置７で読取る帳票は、例えば、口座開設依頼書の他に各種届けを申し込む諸届け帳票、投資信託購入募集申込書等の投信帳票、および外貨預金申込書等である。尚、所定の形式を有するものはもとより、非定型の帳票でもよい。
【００２８】
８は帳票ＤＢ（データベース）サーバであり、図示しない通信手段を備えており、通信回線９を介して帳票読取装置１等の他の装置と相互に通信可能に接続されている。
【００２９】
８ａはサーバ制御部であり、サーバ記憶部８ｂに格納された帳票ＤＢサーバ８を制御する制御プログラムに従って、帳票ＤＢサーバ８の各部を制御して各種処理を遂行する。
【００３０】
サーバ記憶部８ｂは、帳票ＤＢサーバ８を制御する制御プログラムを格納すると共に、帳票読取装置１から受信したイメージデータ及び文字データの情報を管理する帳票データテーブルや、後述するオペレータの業務に対する習熟度としてのオペレータランクを管理するオペレータテーブル等を記憶している。
【００３１】
ここで、図３は帳票データテーブルの構成を示す説明図である。
【００３２】
帳票データテーブルは、図３に示すように、シーケンス番号、帳票画像、認識結果データ、類似文字率、入力データの項目からなる。
【００３３】
シーケンス番号は、上記帳票読取装置１の制御部５が採番した番号である。
【００３４】
帳票画像は、帳票のイメージデータである。
【００３５】
認識結果データは、上記帳票読取装置１の制御部５が光学式文字認識によって画像データから変換した文字データである。
【００３６】
類似文字率は、上記帳票読取装置１の制御部５が前記類似文字率算出手段によって算出される文字データの全文字数に対する類似文字の割合である。
【００３７】
入力データは、認識結果データに対して、オペレータが後述のオペレータ端末で誤認識の文字を訂正入力した文字データである。
【００３８】
ここで、図４はオペレータテーブルの構成を示す説明図である。
【００３９】
オペレータテーブルは、図４に示すように、オペレータＩＤとオペレータランクの項目からなり、オペレータＩＤはオペレータ端末１０を操作するオペレータを特定する識別子である。
【００４０】
オペレータランクは、オペレータの業務に対する習熟度であり、Ａ〜Ｃの３段階としてＡを経験豊富なオペレータ、Ｂを一般的なオペレータ、Ｃを経験の浅いオペレータと分類する。
【００４１】
なお、オペレータランクは、経験年数で定めるようにしてもよく、またそれまでのオペレータの実績に基づいて定めるようにしてもよい。
【００４２】
１０はオペレータ端末であり、通信回線９を介して帳票読取装置１、帳票ＤＢサーバ８と通信可能に接続される。
【００４３】
１１は端末表示部であり、ＣＲＴ、液晶ディスプレイ等の表示手段である。
【００４４】
１２は端末入力部であり、キーボード、マウス等の入力手段である。
【００４５】
１３は端末記憶部であり、磁気ディスク、半導体メモリ等の記憶手段である。この端末記憶部１３にはオペレータ端末１０全体の動作を制御する制御プログラム（ソフトウェア）を記憶する。
【００４６】
１４は端末制御部であり、ＣＰＵ等の演算および制御手段等で構成されたものであり、端末記憶部１３に格納された制御プログラム（ソフトウェア）に基づいて各部の動作を制御する。
【００４７】
このように帳票処理システムは帳票読取装置１、帳票ＤＢサーバ８、通信回線９およびオペレータ端末１０等で構成されている。
【００４８】
また、本実施例では１台の帳票ＤＢサーバ８に対して複数のオペレータ端末１０が通信可能に接続されているものとする。
【００４９】
上述した構成の作用について、図５に示す帳票のスキャン処理を示すフローチャートを用い、Ｓで示すステップに従って説明する。
【００５０】
係員は、顧客から預かった帳票を画像読取装置１のスキャナ装置７の帳票吸入部に載置し、入力部３によってイメージデータ読取りのための入力を行う。
【００５１】
Ｓ１、画像読取装置１の制御部５は、イメージデータ読取りのための入力がなされたことを認識すると、図示しない帳票吸入部に載置された帳票を搬送してスキャナ装置７によってイメージデータを読取ってそのイメージデータを記憶部６に記憶する。
【００５２】
Ｓ２、制御部５は、帳票から読取ったイメージデータを文字認識手段により文字データに変換し、その文字データを記憶部６に記憶する。
【００５３】
Ｓ３、制御部５は、記憶部６に格納している類似文字のテーブルを参照し、イメージデータから変換した文字データに含まれている類似文字の数を計数する。
【００５４】
Ｓ４、制御部５は、文字データに含まれる全文字数を計数し、その全文字数と上記ステップＳ３で計数した類似文字の数を用い、前記類似文字率算出手段によって類似文字率を算出し、その類似文字率を記憶部６に記憶する。
【００５５】
Ｓ５、制御部５は、シーケンス番号を採番すると共に、記憶したイメージデータ、文字データ、類似文字率を読み出し、そのシーケンス番号、イメージデータ、文字データ、類似文字率を関連づけて構成した帳票データを通信回線９を介して帳票ＤＢサーバ８に送信する。
【００５６】
Ｓ６、帳票ＤＢサーバ８は、受信した帳票データを格納すると共に、その帳票データの内容をもとに帳票データテーブルを更新し、帳票のスキャン処理を終了する。
【００５７】
次に、オペレータに帳票の記載内容を確認させる帳票内容確認処理について、図６に示す帳票内容確認処理の手順を示すフローチャートを用い、ＳＡで示すステップに従って説明する。
【００５８】
ここでは、オペレータが帳票の記載内容確認のために、オペレータ端末１０の端末入力部１２によって確認データを要求する入力操作を行ったものとする。
【００５９】
ＳＡ１、オペレータ端末１０の端末制御部１４は、オペレータの端末入力部１２による確認データを要求する入力操作がなされたことを認識すると、端末記憶部１３に記憶しているオペレータＩＤを読み出し、そのオペレータＩＤを付したデータ要求電文を通信回線９を介して帳票ＤＢサーバ８に送信する。
【００６０】
ＳＡ２、帳票ＤＢサーバ８のサーバ制御部８ａは、受信したデータ要求電文のオペレータＩＤをもとに、サーバ記憶部８ｂに格納しているオペレータテーブルを参照して該当するオペレータランクを特定する。
【００６１】
ＳＡ３、サーバ制御部８ａは、帳票データテーブルから入力データが未入力であり、かつ上記で特定したオペレータランクに従ってオペレータ端末１０に送信対象のイメージデータ及び文字データを含む帳票データを抽出する。
【００６２】
ここで、図７は帳票データテーブルから帳票データを抽出するまでの流れを示す説明図であり、（ａ）はシーケンス番号順に帳票データを並べた状態、（ｂ）は類似文字率順に帳票データを並べた状態を示す。
【００６３】
サーバ制御部８ａは、帳票データテーブルの帳票データを図７（ａ）に示すシーケンス番号順から、図７（ｂ）に示す類似文字率順に並べ替える。
【００６４】
そして、上記ステップＳＡ２で特定したオペレータランクがＡの場合には、類似文字率が最も大きい帳票データを帳票データテーブルから抽出する。つまり図７（ｂ）に示す類似文字順においては、最も大きい類似文字率１７％であるシーケンス番号３の帳票データを抽出する。
【００６５】
また、オペレータランクがＢの場合には、帳票データテーブルにおいて、類似文字率順に帳票データを並べたときの順番が真ん中の帳票データを抽出、つまり図７（ｂ）に示す類似文字順における、順番が真ん中のシーケンス番号５の帳票データを抽出する。
【００６６】
さらに、オペレータランクがＣの場合には、類似文字率が最も小さい帳票データを抽出、つまり図７（ｂ）に示す類似文字順においては、最も小さい類似文字率１％であるシーケンス番号４の帳票データを抽出する。
【００６７】
なお、帳票データテーブルから抽出できる帳票データが１つしかない場合は、その残った帳票データを抽出することは言うまでも無い。
【００６８】
ＳＡ４、サーバ制御部８ａは、抽出した帳票データからイメージデータと文字データ、シーケンス番号を読み出し、読み出したイメージデータと文字データ、シーケンス番号を関連づけて確認データとし、その確認データを通信回線９を介してオペレータ端末１０に送信する。
【００６９】
ＳＡ５、オペレータ端末１０の端末制御部１４は、受信した確認データのシーケンス番号を端末記憶部１３に記憶し、また確認データのイメージデータと文字データとを端末表示部１１に表示すると共に、イメージデータによって顧客が帳票に記載した内容を確認させ、文字データ中の誤認識された文字や記載内容の確認及びその訂正を促す確認指示画面を表示する。
【００７０】
これにより、オペレータはイメージデータと文字データとを比較することで、帳票上の記載内容をもとに文字データの確認を行うと共に、文字データ中に誤認識の文字があれば、その訂正入力を行う。
【００７１】
ＳＡ６、端末制御部１４は記憶したシーケンス番号を読み出し、訂正入力がなされた文字データを入力データとし、その入力データにシーケンス番号を付して通信回線９を介し、帳票ＤＢサーバ８に送信する。
【００７２】
ＳＡ７、帳票ＤＢサーバ８のサーバ制御部８ａは、受信したシーケンス番号をもとに、記憶している帳票データを読み出してその帳票データに受信した入力データを加え、帳票データテーブルの内容を更新し、帳票内容確認処理を終了する。
【００７３】
これにより、本発明は、習熟度が高いオペレータには類似文字が多い帳票の処理をさせ、習熟度が低いオペレータには類似文字が少ない帳票の処理をさせることができるので、類似文字を誤って処理してしまうという人為的ミスの発生を低減させることができるという効果が得られる。
【００７４】
以上説明したように、本実施例では、文字認識手段によって帳票のイメージデータから変換した文字データをオペレータが確認及び訂正を行う場合に、文字データに含まれる類似文字の割合を算出してその類似文字率を帳票データに含めて記憶しておき、オペレータ端末にイメージデータ及び文字データを送信する際に、オペレータのスキルレベルから熟練したオペレータに対しては、類似文字率の割合が高い帳票データのイメージデータ及び文字データを送信し、経験の浅いオペレータに類似文字率の割合が小さい帳票データのイメージデータ及び文字データを送信するため、イメージデータから文字データに変換した際に誤認識されてしまった類似文字の訂正抜け等の人為的ミスの可能性を低減させることができる。
【符号の説明】
【００７５】
１  帳票読取装置
２  表示部
３  入力部
５  制御部
６  記憶部
７  スキャナ装置
８  帳票ＤＢサーバ
８ａ  サーバ制御部
８ｂ  サーバ記憶部
９  通信回線
１０  オペレータ端末
１１  端末表示部
１２  端末入力部
１３  端末記憶部
１４  端末制御部
【図１】
2014063507.tif 000003
【図２】
2014063507.tif 000004
【図３】
2014063507.tif 000005
【図４】
2014063507.tif 000006
【図５】
2014063507.tif 000007
【図６】
2014063507.tif 000008
【図７】
2014063507.tif 000009